【手続補正書】
【提出日】平成16年4月20日(2004.4.20)
【手続補正１】
【補正対象書類名】明細書
【補正対象項目名】特許請求の範囲
【補正方法】変更
【補正の内容】
【特許請求の範囲】
【請求項１】
複数種類の電源電圧を供給する電源配線を備えた半導体装置において、
第１のブロックに電源電圧を供給する第１の電源端子を有した第１のスタンダードセルと、
前記第１のブロックの電源電圧と異なる電源電圧を供給する第２の電源端子を、前記第１の電源端子と異なる位置に有した第２のスタンダードセルと、
前記第１及び第２の電源端子を含むレベルコンバータセルと
を同一セル列に配置したことを特徴とする半導体装置。
【請求項２】
複数種類の電源電圧を供給する電源配線を備えた半導体装置において、
第１のブロック及び第２のブロック内に配置され、当該第１及び第２のブロックに電源電圧を供給する第１の電源端子を有した第１のスタンダードセルと、
前記第１及び第２のブロック間に配置され、当該第１及び第２のブロックの電源電圧と異なる電源電圧を供給する第２の電源端子を、前記第１の電源端子と異なる位置に有した第２のスタンダードセルと、
前記第１及び第２の電源端子を含むレベルコンバータセルと
を同一セル列に配置したことを特徴とする半導体装置。
【請求項３】
前記レベルコンバータセルは、一体型に形成されていることを特徴とする請求項１又は２に記載の半導体装置。
【請求項４】
前記第２のスタンダードセルは、
前記第１及び第２のブロック間に搭載され、当該第１及び第２のブロック間の電源電圧と同一の電源電圧が供給される第３のブロック内に配置したことを特徴とする請求項２に記載の半導体装置。
【請求項５】
前記レベルコンバータセルは、
前記第１及び第２のブロック内に配置したことを特徴とする請求項２乃至４のいずれかに記載の半導体装置。
【請求項６】
前記レベルコンバータセルは、
前記第１及び第２のブロック間に配置したことを特徴とする請求項２乃至４のいずれかに記載の半導体装置。
【請求項７】
前記第１のスタンダードセルと前記レベルコンバータセルの第１の電源端子を接続する電源配線、及び、前記第２のスタンダードセルと前記レベルコンバータセルの第２の電源端子を接続する電源配線は、直線であることを特徴とする請求項１乃至６のいずれかに記載の半導体装置。
【請求項８】
請求項１乃至７のいずれかに記載の半導体装置のレイアウトデータ設計装置において、
当該レイアウトデータ設計装置は、
複数のブロックを搭載する半導体装置のネットリストの入力に基づいて当該各ブロック毎に電源電圧を設定し、同各ブロックの電源電圧に基づいてブロック間電圧を設定する第１のステップと、
前記ブロック間電圧に基づいて前記レベルコンバータセルを生成する第２のステップと、
前記複数のブロックに設定される電源電圧、及び前記ブロック間電圧に基づいて、前記レベルコンバータセルを当該複数のブロック内またはブロック間に配置する第３のステップと、
を実行する手段を備えたことを特徴とするレイアウトデータ設計装置。
【請求項９】
前記第３のステップは、
前記複数のブロックに設定される電源電圧が前記ブロック間電圧と異なる電源電圧に設定されているブロックに、前記レベルコンバータセルを配置するステップとしたことを特徴とする請求項８に記載のレイアウトデータ設計装置。
【請求項１０】
前記レベルコンバータセルの配置に基づいて、前記第１及び第２のスタンダードセルを配置する第４のステップを実行する手段を備えたことを特徴とする請求項８又は９に記載のレイアウトデータ設計装置。
【請求項１１】
請求項８乃至１０のいずれかに記載のステップに基づいてレイアウトデータを作成するプログラムを記録したコンピュータ読み取り可能な記録媒体。
【手続補正２】
【補正対象書類名】明細書
【補正対象項目名】００１４
【補正方法】変更
【補正の内容】
【００１４】
【課題を解決するための手段】
上記目的を達成するため、請求項１に記載の発明によれば、第１のブロックに電源電圧を供給する第１のスタンダードセルの第１の電源端子は、第１のブロックの電源電圧と異なる電源電圧を供給する第２のスタンダードセルの第２の電源端子と異なる位置に設けられる。また、レベルコンバータセルは、第１及び第２の電源端子を含み形成される。そして、異なる電源電圧が印加される各セルは、同一セル列に配置される。


【手続補正３】
【補正対象書類名】明細書
【補正対象項目名】００１５
【補正方法】変更
【補正の内容】
【００１５】
請求項２に記載の発明によれば、第１及び第２のブロックに電源電圧を供給する第１のスタンダードセルと、第１及び第２のブロックの電源電圧と異なる電源電圧を供給する第２のスタンダードセルと、レベルコンバータセルは、同一セル列に配置される。
請求項３に記載の発明によれば、請求項１又は２に記載の半導体装置において、レベルコンバータセルは、一体型に形成されている。
【手続補正４】
【補正対象書類名】明細書
【補正対象項目名】００１６
【補正方法】変更
【補正の内容】
【００１６】
請求項４に記載の発明によれば、請求項２に記載の半導体装置において、第２のスタンダードセルは、第１及び第２のブロック間における第３のブロック内に配置される。


【手続補正５】
【補正対象書類名】明細書
【補正対象項目名】００１７
【補正方法】変更
【補正の内容】
【００１７】
請求項５に記載の発明によれば、請求項２乃至４のいずれかに記載の半導体装置において、レベルコンバータセルは、第１及び第２のブロック内に配置され、且つ第１及び第２のスタンダードセルと同一セル列に配置される。


【手続補正６】
【補正対象書類名】明細書
【補正対象項目名】００１８
【補正方法】変更
【補正の内容】
【００１８】
請求項６に記載の発明によれば、請求項２乃至４のいずれかに記載の半導体装置において、レベルコンバータセルは、第１及び第２のブロック間に配置され、且つ第１及び第２のスタンダードセルと同一セル列に配置される。


【手続補正７】
【補正対象書類名】明細書
【補正対象項目名】００１９
【補正方法】変更
【補正の内容】
【００１９】
請求項７に記載の発明によれば、請求項１乃至６のいずれかに記載の半導体装置において、第１のスタンダードセルとレベルコンバータセルの第１の電源端子を接続する電源配線、及び、第２のスタンダードセルとレベルコンバータセルの第２の電源端子を接続する電源配線は、直線となる。


【手続補正８】
【補正対象書類名】明細書
【補正対象項目名】００２０
【補正方法】変更
【補正の内容】
【００２０】
請求項８に記載の発明によれば、レイアウトデータ設計装置は、先ず第１のステップで、複数のブロックを搭載する半導体装置のネットリストの入力に基づいて各ブロック毎に電源電圧を設定し、各ブロックの電源電圧に基づいてブロック間電圧を設定する。次いで第２のステップで、ブロック間電圧に基づいてレベルコンバータセルを生成する。次いで第３のステップで、複数のブロックに設定される電源電圧、及びブロック間電圧に基づいて、レベルコンバータセルを当該複数のブロック内またはブロック間に配置する。
請求項９に記載の発明によれば、請求項８に記載のレイアウトデータ設計装置は、前記第３のステップでは、複数のブロックに設定される電源電圧がブロック間電圧と異なる電源電圧に設定されているブロックに、レベルコンバータセルを配置する。


【手続補正９】
【補正対象書類名】明細書
【補正対象項目名】００２１
【補正方法】変更
【補正の内容】
【００２１】
請求項１０に記載の発明によれば、請求項８又は９に記載のレイアウトデータ設計装置は、第３のステップでレベルコンバータセルを配置した後、このレベルコンバータセルの配置に基づいて、第４のステップで、第１及び第２のスタンダードセルを配置する。
請求項１１に記載の発明によれば、コンピュータ読み取り可能な記録媒体には、請求項８乃至１０のいずれかに記載のステップに基づいてレイアウトデータを作成するプログラムが記録されている。